(57)【要約】      （修正有）【課題】ライト機能を備えた携帯旗を提供する。【解決手段】旗１と、支柱部２とを備えた携帯旗である。支柱部２は、円筒部３と、該円筒部３の上端に装着される頂部４と、円筒部３の下端に装着される掴持部５と、円筒部３に対して平行状に延び、上端が頂部４に、下端が掴持部５にそれぞれ取り付けられた軸部６とを備え、旗１は、基端側に形成された袋状部１３０に軸部６を挿通させることで支柱部２に取り付けられており、円筒部３の周壁を光透過性部材から形成すると共に、円筒部３内に発光体を収容し、掴持部５には、発光体の電源用の電池と、発光体を消灯状態と点灯状態とに切り換えるスイッチとが設けてあり、軸部６の下端部は掴持部５に対して着脱可能に取り付けられている。【選択図】図１
0003174202.tif 000002
【実用新案登録請求の範囲】
【請求項１】
旗が装着された支柱部と、
支柱部の基端側に設けられた掴持部と、
を備えた携帯旗において、
前記支柱部の周壁を光透過性部材から形成すると共に、前記支柱部内に発光体を収容し、
前記掴持部には、前記発光体を消灯状態と点灯状態とに切り換えるスイッチが設けてある、ライト機能付き携帯旗。
【請求項２】
旗と、支柱部と、を備えた携帯旗において、
前記支柱部は、円筒部と、円筒部の上端に装着される頂部と、円筒部の下端に装着される掴持部と、円筒部に対して平行状に延び、上端が頂部に、下端が掴持部にそれぞれ取り付けられた軸部と、を備え、
前記旗は、基端側に形成された袋状部に前記軸部を挿通させることで前記支柱部に取り付けられており、
前記円筒部の周壁を光透過性部材から形成すると共に、前記円筒部内に発光体を収容し、
前記掴持部には、前記発光体の電源用の電池と、前記発光体を消灯状態と点灯状態とに切り換えるスイッチと、が設けてあり、前記軸部の下端部は当該掴持部に対して着脱可能に取り付けられている、ライト機能付き携帯旗。
【請求項３】
前記軸部の下端には係合部が形成されており、
前記掴持部の壁面に設けた装着部には係合受部が形成されており、
前記装着部にはスライド体が第１の位置と第２の位置との間でスライド可能に設けてあり、
前記軸部の下端の係合部が前記装着部の前記係合受部に係合された係合状態で、前記スライド体を第１の位置とすることで、前記係合状態が固定され、前記スライド体を第２の位置とすることで、前記係合部が前記係合受部から取り外し可能となる、
請求項２に記載のライト機能付き携帯旗。
【考案の詳細な説明】
【技術分野】
【０００１】
本考案は、携帯旗に係り、詳しくは、コンサートやスポーツ等のイベントで用いられる携帯旗に関するものである。
【背景技術】
【０００２】
人は、歓迎や応援の意を表したい時に、旗を振ることによってこれを表現することがある。サッカーや野球の試合等のスポーツ観戦において、観客が旗を振りながら応援する姿は良く見られる。また、コンサート会場においても、ミュージシャンや曲によっては、観客が旗を振りながら歌や演奏を聴くこともあり、皆で旗を振ることによって、乗りのよい曲では会場の雰囲気が盛り上がり、しっとりとした曲では観客の間で一体感が出たりする。
【０００３】
また、コンサート会場において、観客がペンライトを振りながら歌や演奏を聴くことも良く行われる。
【０００４】
このような旗やペンライトは、コンサート会場における関連グッズとして販売されることが多い。混み合ったコンサート会場で持ち歩くことを考えると、手持ちの品数は少ないほうがよいが、従来は、２つの商品、すなわち、旗とペンライト、をそれぞれ購入して持ち歩く必要があった。
特許文献１には、ペンライト機能を備えたうちわが開示されているが、うちわの柄がペンライトとなっているので、うちわとして用いる時に、ペンライトが手によって隠れてしまう。また、うちわは折り畳んだり、丸めたりすることができないため、収納には不便である。
【先行技術文献】
【特許文献】
【０００５】
【特許文献１】実用新案登録第３１５９８６８号
【考案の概要】
【考案が解決しようとする課題】
【０００６】
本考案は、ライト機能を備えた携帯旗を提供することを目的とするものである。
【課題を解決するための手段】
【０００７】
本願が採用した第１の技術手段は、
旗が装着された支柱部と、
支柱部の基端側に設けられた掴持部と、
を備えた携帯旗において、
前記支柱部の周壁を光透過性部材から形成すると共に、前記支柱部内に発光体を収容し、
前記掴持部には、前記発光体を消灯状態と点灯状態とに切り換えるスイッチが設けてある、ライト機能付き携帯旗、である。
【０００８】
本願が採用した第２の技術手段は、
旗と、支柱部と、を備えた携帯旗において、
前記支柱部は、円筒部と、円筒部の上端に装着される頂部と、円筒部の下端に装着される掴持部と、円筒部に対して平行状に延び、上端が頂部に、下端が掴持部にそれぞれ取り付けられた軸部と、を備え、
前記旗は、基端側に形成された袋状部に前記軸部を挿通させることで前記支柱部に取り付けられており、
前記円筒部の周壁を光透過性部材から形成すると共に、前記円筒部内に発光体を収容し、
前記掴持部には、前記発光体の電源用の電池と、前記発光体を消灯状態と点灯状態とに切り換えるスイッチと、が設けてあり、前記軸部の下端部は当該掴持部に対して着脱可能に取り付けられている、ライト機能付き携帯旗、である。
【０００９】
１つの態様では、前記軸部の下端には係合部が形成されており、
前記掴持部の壁面に設けた装着部には係合受部が形成されており、
前記装着部にはスライド体が第１の位置と第２の位置との間でスライド可能に設けてあり、
前記軸部の下端の係合部が前記装着部の前記係合受部に係合された係合状態で、前記スライド体を第１の位置とすることで、前記係合状態が固定され、前記スライド体を第２の位置とすることで、前記係合部が前記係合受部から取り外し可能となる。
なお、軸部の下端部は掴持部に対して着脱可能に取り付ける構成は、このものには限定されない。
【考案の効果】
【００１０】
請求項１、２に係る考案では、１つの物品でありながら、旗としての機能、ライトとしての機能を備えているので、１つの物品をコンサート会場に持ち込むだけで、旗として振ったり、ペンライトとして用いたりすることができる。旗の掴持部を持った状態で、手によってライトが隠れることがないので、旗機能とライト機能を同時に提供することができる。
【００１１】
請求項２、３に係る考案では、旗を支柱部（軸部）から取り外すことができるので、ライト機能を備えた携帯旗を、旗を取り外すことで、専らペンライトとして用いることができる。また、複数種類の旗を用意しておけば、曲等に応じて旗を交換して用いることができる。
【図面の簡単な説明】
【００１２】
【図１】ライト機能付き携帯旗の全体図である。
【図２】ライト機能付き携帯旗の支柱部を示す正面図である。
【図３】ライト機能付き携帯旗の支柱部の底面図である。
【図４】左から、円筒部内部に挿入するフィルムを展開したもの、円筒部、軸部、を示す。
【図５】頂部を示す図である。
【図６Ａ】掴持部の第１半部を示す図である。
【図６Ｂ】掴持部の第２半部を示す図である。
【図７】発光素子の支持部を示す図である。
【図８】スライド体を示す図である。
【図９】軸部の下端部を示す部分図である。
【考案を実施するための形態】
【００１３】
図１に示すように、本実施形態に係るライト機能付き携帯旗は、旗１と、旗１が取り付けられた支柱部２と、からなる。旗１は、上縁１０、下縁１１、先端側縦縁１２、基端側縦縁１３と、から横長方形状を有している。旗１の基端側縦縁１３は、支柱部２の高さ方向に延びる袋状部１３０となっている。旗１には、適宜、色、図柄、模様、文字等からなるデザイン（図示せず）が施されている。
【００１４】
支柱部２は、透明のプラスチックから形成された円筒部３と、円筒部３の上端に取り付けられた頂部４と、円筒部３の下端に取り付けられた掴持部５と、頂部４と掴持部５との間に亘って設けられ、円筒部３に沿って円筒部３の長さ方向（上下方向）に延びる軸部６と、からなる。軸部６を、旗１の基端側の袋状部１３０内を挿通させることで、旗１が支柱部２に取り付けられる。軸部６は樹脂製であり弾性を備えている。
【００１５】
円筒部３の周壁３０は、透明のプラスチックから形成されており、上端、下端は共に開口状となっている。円筒部３の内部空間には、下端側に位置して、発光素子（ＬＥＤ）７が収容されている。発光素子は、後述するように、円筒状部３の下端が受け入れられている掴持部５に支持されている。本実施形態では、円筒部３の内部空間には、透光性の周壁３０の内面に沿って、光を散乱させながら透過させるフィルム３１（図４に展開した状態を示す）が設けてあり、発光素子はフィルム３１の内側に位置している。フィルム３１には、適宜、色、図柄、模様、文字等からなるデザイン（図示せず）を施してもよい。
【００１６】
頂部４は、下方が開口状の樹脂製の短筒であり、下方の開口から周壁４０の内部空間に円筒部３の上端を挿入させて受け入れるようになっている。本実施形態では、頂部４は、図５に示すように、所定形状に樹脂成形された第１半部４Ａ、第２半部４Ｂからなり、第１半部４Ａと第２半部４Ｂを連結（例えば、螺子を用いる）することで形成される。周壁４０の一部が径方向に外側に突成されて突成部４１が形成されており、突成部４１の下端には軸部６の上端を受け入れて固定する孔４２が形成されている。
【００１７】
掴持部５は、手で掴める程度の長さ寸法を備えた樹脂製の筒状部であり、上側の開口から周壁５０の内部空間に円筒部３の下端を挿入させて受け入れるようになっている。本実施形態では、掴持部５は、図６Ａ、図６Ｂに示すように、所定形状に樹脂成形された第１半部５Ａ、第２半部５Ｂからなり、第１半部５Ａと第２半部５Ｂを連結（例えば、螺子を用いる）することで形成される。周壁５０の上端部位には、頂部４の突成部４１の直下に位置して、軸部６の下端が着脱可能に装着される装着部５１が形成されている。
【００１８】
掴持部５内には、電池収容部８０が形成されており、電池収容部８０には発光素子７の電源としての電池８が収容されている。掴持部５には、発光素子７を消灯状態と点灯状態とに切り換えるスイッチ９が設けてある。発光素子７、電池８、スイッチ９は電気的に接続されている。スイッチ９が第１の状態にある時には、発光素子７への電流供給が遮断されて発光素子７が消灯状態にあり、スイッチ９が第２の状態にある時には、発光素子７へ電流が供給されて発光素子７が点灯状態となる。本実施形態では、掴持部５の下端面の小径部９０内にスイッチ９（図３参照）が設けてあり、スイッチ９の押し操作によって、発光素子７を消灯状態と点灯状態とに切り換える。
【００１９】
図７に示すように、発光素子７は、支持体に支持されている。支持体は、板状部７０と、板状部７０の上端に形成された逆円錐状の支承部７１と、からなり、支承部７１の内部空間に発光素子７が支承され、発光素子７に接続された電線（図示せず）は、支承部７１の底部に形成された小孔７１０を通って延びるようになっている。板状部７０の各面部には、電線のガイド７００が形成されている。板状部７０には、上下に間隔を存して２つの孔部７０１が形成されており、支持体は、板状部７０に形成された２つの孔部７０１に、掴持部５の第２半部５Ｂの内側に突設された突起５４（図６Ｂ参照））を挿通させることで、支承部７１（発光素子７）が円筒部３の下方部位に位置する高さで、掴持部５に支持される。
【００２０】
軸部６の下端の取付構造について説明する。第２半部５Ｂの周壁５０の上端部位には、頂部４の突成部４１の直下に位置して、装着部５１が設けてある。装着部５１は、平行状に対向する装着片５２を備えている。各装着片５２は、周壁５０に対して立ち上がり状に延びており、かつ、掴持部５の長さ方向（上下方向）に延びている。装着片５２の基端側には、上下方向に延びるガイド溝５２０が形成されている。装着片５２の先端側には、上端部位に位置して、周壁５０から離間する方向に突出する突片５２１が形成されている。対向する装着片５２間には、突片５２１の下縁よりも下方に位置して横片５３が形成されている。突片５２１の下縁、突片５２１と横片５３の間に位置するガイド片５２の先端部位、横片５３によって軸部６の下端部を装着する係合受部５５が形成されている。
【００２１】
軸部６の下端部には、係合受部５５に係合する係合部６０が形成されている。図９に示すように、係合部６０は、円柱状の軸部６の下端の半円柱部６１と、半円柱部６１に対して一体形成された、軸部６０の長さ方向に対して垂直に延びる直方体状のブロックと、からなる。ブロックの両端部によって左右の係合突部６２が形成されている。ブロックにおいて、半円柱部６１とは反対側の面には、係止隆起部６３が形成されている。
【００２２】
装着部５１には、スライド体５６が上下方向（軸部６の長さ方向）に、上側の第１の位置と、下側の第２の位置と、の間でスライド可能に設けてある。図８に示すように、スライド体５６は、上面部５７と、左右の側面部５８と、底面部５９と、を備えており、左右の側面部５８の内面には、ガイド片５２のガイド溝５２０内を滑動するガイド突起５８０が形成されている。上面部５７には、軸部６０の下端の係合部６０の係止隆起部６３が係止する係止孔部５７０が形成されている。
【００２３】
スライド体５６が下側の第２の位置の状態（図８右上図参照）において、装着部５１の係合受部５５に軸部６０の下端の係合部６０を係合させる。軸部６の下端の係合部６０が装着部の係合受部５５に係合された状態で、スライド体５６を上方にスライド移動させて第１の位置（図８右下図参照）とすることで、スライド体５６の底面部５９が、横片５３に当接し、係合部６０の係止隆起部６３がスライド体５６の上面部５７の係止孔部５７０に係止する。この状態では、スライド体５６によって、軸部６の下端の係合部６０を係合受部５５から取り外す方向（周壁５０から離間する方向）の移動が規制されるので、係合部６０と係合受部５５の係合状態が固定される。
【００２４】
第１の位置にあるスライド体５６を下方にスライド移動させて第２の位置とすることで、軸部６の係合部６０を被係合部５５から取り外すことが可能となる。軸部６の下端部を自由端とすることで、旗１の基端側の袋状部１３０から軸部６を抜いて、旗１を取り外すことができる。したがって、本考案に係る携帯旗を、専らペンライトとして用いた場合には、軸部６の下端側を掴持部５の装着部から取り外して、旗１を抜き取り、再び、軸部６の下端側を掴持部５の装着部に固定すればよい。本考案に係るライト機能付き携帯旗は、不使用時には、旗を円筒部に対して巻装させた状態とすればよいので、省スペースであり、カバン等に入れて持ち運ぶことができる。
【符号の説明】
【００２５】
１    旗
２    支柱部
３    円筒部
６    軸部
７    発光素子
９    スイッチ
【図４】
0003174202.tif 000003
【図５】
0003174202.tif 000004
【図６Ａ】
0003174202.tif 000005
【図６Ｂ】
0003174202.tif 000006
【図７】
0003174202.tif 000007
【図８】
0003174202.tif 000008
【図９】
0003174202.tif 000009
【図１】
0003174202.tif 000010
【図２】
0003174202.tif 000011
【図３】
0003174202.tif 000012